(57)【要約】【課題】  ホルダーの取り付け作業を容易にし、ホルダーを確実にルーバに固定する。【解決手段】  本発明に係る車両用物品取付具１，３６は、エアコン吹出口２のルーバ３の前方に対峙して設けられたホルダー本体４と、ホルダー本体４内に挿通可能且つ掛止可能に設けられた紐状体２２と、紐状体２２の先端部に形成され、ルーバ３に掛止可能な止め具２３とから成り、ルーバ３に対して進退可能なベルト６と、ホルダー本体４に設けられ、ルーバ３の周辺部に対して傾斜姿勢で当接可能な弾性を有する当接具７とを備えており、止め具２３をルーバ３に掛止させてベルト６を基端側に引っ張ると、当接具７が弾性変形し、ルーバ３の周辺部に対して傾斜姿勢で当接し、固定されるように構成されていることを特徴とする。【選択図】  図１
2005262952.tif 000002
【特許請求の範囲】
【請求項１】
エアコン吹出口のルーバに対して物品を取り付けるための車両用物品取付具であって、
前記ルーバの前方に対峙して設けられたホルダー本体と、
該ホルダー本体内に挿通可能且つ掛止可能に設けられた紐状体と、該紐状体の先端部に形成され、前記ルーバに掛止可能な止め具とを有し、前記ルーバに対して進退可能なベルトと、
前記ホルダー本体に設けられ、前記ルーバの周辺部に対して傾斜姿勢で当接可能な弾性を有する当接具と、
を備えており、前記止め具を前記ルーバに掛止させて前記ベルトを基端側に引っ張ると、前記当接具が弾性変形し、前記ルーバの周辺部に対して傾斜姿勢で当接し、固定されるように構成されていることを特徴とする車両用物品取付具。
【請求項２】
エアコン吹出口のルーバに対して物品を取り付けるための車両用物品取付具であって、
前記ルーバの前方に対峙して設けられたホルダー本体と、
該ホルダー本体内に挿通可能且つ掛止可能に設けられた紐状体と、該紐状体の先端部に形成され、前記ルーバに掛止可能な止め具とを有し、前記ルーバに対して進退可能なベルトと、
前記ホルダー本体に設けられ、前記ルーバの周辺部に対して傾斜姿勢で当接可能であると共に前記ルーバの周辺部に対する当接角度が可変となるように設けられている当接具と、
を備えており、前記止め具を前記ルーバに掛止させて前記ベルトを基端側に引っ張ると、前記ルーバの周辺部に対する前記当接具の当接角度が変化し、前記当接具が前記ルーバの周辺部に対して傾斜姿勢で当接し、固定されるように構成されていることを特徴とする車両用物品取付具。
【請求項３】
前記当接具は、少なくとも対向する２箇所において、その離間距離が可変となるように着脱可能に設けられていることを特徴とする請求項１又は２に記載の車両用物品取付具。
【請求項４】
前記当接具は、それぞれ前記ルーバの周辺部に対して２箇所で当接可能なように設けられていることを特徴とする請求項１〜３のいずれか１の請求項に記載の車両用物品取付具。
【請求項５】
前記当接具は、前記エアコン吹出口の外枠の内側に当接可能なようにそれぞれ内方に傾斜して設けられていることを特徴とする請求項１〜４のいずれか１の請求項に記載の車両用物品取付具。
【請求項６】
前記止め具は、前記ルーバの前縁部から前方に所定距離、離間可能なように形成された基端部と、該基端部から前記ルーバの両面に沿うようにそれぞれ先端側に延出する一対の延出片と、前記ルーバの後縁部に掛止可能なように前記一方の延出片の先端に形成されたフック部と、該フック部に対して近接離反方向に弾性変形可能なように前記他方の延出片から片持ち梁状にさらに延出するルーバ案内片とを備えており、該ルーバ案内片と前記フック部との間を通って前記ルーバが前記止め具に挿脱可能なように構成されていることを特徴とする請求項１〜５のいずれか１の請求項に記載の車両用物品取付具。
【請求項７】
前記案内片は、前記フック部より先端側に延出して形成されていることを特徴とする請求項６に記載の車両用物品取付具。
【請求項８】
前記ベルトは可撓性を有していることを特徴とする請求項６又は７に記載の車両用取付具。
【請求項９】
エアコン吹出口のルーバに対して物品を取り付けるための車両用物品取付具であって、
前記ルーバの前方に対峙して設けられたホルダー本体と、
該ホルダー本体内に挿通可能且つ掛止可能に設けられた紐状体と、該紐状体の先端部に形成され、前記ルーバに掛止可能な止め具とを有し、前記ルーバに対して進退可能なベルトと、
該ベルトの基端部を収納可能なように形成されたベルト収納部と、
前記ホルダー本体に設けられ、前記ルーバの周辺部に対して傾斜姿勢で当接可能な弾性を有する当接具と、
を備えており、前記止め具を前記ルーバに掛止させて前記ベルトを基端側に引っ張ると、
前記当接具が弾性変形し、前記ルーバの周辺部に対して傾斜姿勢で当接し、固定されるように構成されていることを特徴とする車両用物品取付具。
【請求項１０】
前記ホルダー本体の前記ルーバに対向する面は凹状に湾曲して形成されていることを特徴とする請求項１〜９のいずれか１の請求項に記載の車両用物品取付具。
【請求項１１】
前記物品の被係合部と係合して前記物品を固定するための固定レールをさらに備えていることを特徴とする請求項１又は２に記載の車両用物品取付具。
【請求項１２】
前記ベルトを複数備えていることを特徴とする請求項１又は２に記載の車両用物品取付具。
【発明の詳細な説明】
【技術分野】
【０００１】
本発明は、モニターホルダー、ドリンクホルダー、携帯電話ホルダー等、車両室内のエアコン吹出口のルーバに対して物品を取り付けるための車両用物品取付具に関するものである。
【背景技術】
【０００２】
従来、乗用車等の車両内においては、ドリンクホルダーや携帯電話ホルダー等の如く、取付具を介して物品をエアコン吹出口のルーバに固定することが行われている。（例えば、特許文献１及び２参照。）
【特許文献１】特許第３３７１３４５号公報
【特許文献２】特開２００１−７１８２８号公報
【発明の開示】
【発明が解決しようとする課題】
【０００３】
しかしながら、上記特許文献１に開示された物品取付具では、その物品取付具をルーバに取り付けた状態において、物品取付具とルーバとの間に隙間が生じ、ホルダー本体がルーバにしっかりと固定されるようになっていないため、ホルダー本体にガタツキが発生するといった問題があった。
【０００４】
また、上記特許文献２に開示された物品取付装置では、紐状体の先端に形成されたフックをルーバの後縁部に掛止させることによりホルダーを取り付けるようになっているため、フックがルーバの後縁部から外れないように紐状体を引っ張りながらホルダーの取り付け作業を行う必要があり、ホルダーの取り付け作業に手間が掛かっていた。さらにまた、ホルダーをルーバに取り付けた後に、ホルダーがルーバから脱落し易いといった問題もあった。
【０００５】
本発明は、上記した課題を解決すべくなされたものあり、ホルダーの取り付け作業を容易にし、ホルダーを確実にルーバに固定することのできる車両用物品取付具を提供しようとするものである。
【課題を解決するための手段】
【０００６】
本発明に係る車両用物品取付具は、エアコン吹出口のルーバに対して物品を取り付けるための車両用物品取付具であって、前記ルーバの前方に対峙して設けられたホルダー本体と、該ホルダー本体内に挿通可能且つ掛止可能に設けられた紐状体と、該紐状体の先端部に形成され、前記ルーバに掛止可能な止め具とから成り、前記ルーバに対して進退可能なベルトと、前記ホルダー本体に設けられ、前記ルーバの周辺部に対して傾斜姿勢で当接可能な弾性を有する当接具とを備えており、前記止め具を前記ルーバに掛止させて前記ベルトを基端側に引っ張ると、前記当接具が弾性変形し、前記ルーバの周辺部に対して傾斜姿勢で当接し、固定されるように構成されていることを特徴とする。
【０００７】
また、本発明に係る車両用物品取付具は、エアコン吹出口のルーバに対して物品を取り付けるための車両用物品取付具であって、前記ルーバの前方に対峙して設けられたホルダー本体と、該ホルダー本体内に挿通可能且つ掛止可能に設けられた紐状体と、該紐状体の先端部に形成され、前記ルーバに掛止可能な止め具とから成り、前記ルーバに対して進退可能なベルトと、前記ホルダー本体に設けられ、前記ルーバの周辺部に対して傾斜姿勢で当接可能であると共に前記ルーバの周辺部に対する当接角度が可変となるように設けられている当接具とを備えており、前記止め具を前記ルーバに掛止させて前記ベルトを基端側に引っ張ると、前記ルーバの周辺部に対する前記当接具の当接角度が変化し、前記当接具が前記ルーバの周辺部に対して傾斜姿勢で当接し、固定されるように構成されていることを特徴とする。
【０００８】
そして、好ましくは、前記当接具は、少なくとも対向する２箇所において、その離間距離が可変となるように着脱可能に設けられていてもよく、また、前記当接具は、それぞれ前記ルーバの周辺部に対して２箇所で当接可能なように設けられていてもよく、さらに、前記当接具は、前記エアコン吹出口の外枠の内側に当接可能なようにそれぞれ内方に傾斜して設けられていてもよい。
【０００９】
また、好ましくは、前記止め具は、前記ルーバの前縁部から前方に所定距離、離間可能なように形成された基端部と、該基端部から前記ルーバの両面に沿うようにそれぞれ先端側に延出する一対の延出片と、前記ルーバの後縁部に掛止可能なように前記一方の延出片の先端に形成されたフック部と、該フック部に対して近接離反方向に弾性変形可能なように前記他方の延出片から片持ち梁状にさらに延出するルーバ案内片とを備えており、該ルーバ案内片と前記フック部との間を通って前記ルーバが前記止め具に挿脱可能なように構成されていてもよい。
【００１０】
さらに、前記案内片は、前記フック部より先端側に延出して形成されていてもよく、さらにまた、前記ベルトは可撓性を有していてもよい。
【００１１】
また、本発明に係る車両用物品取付具は、エアコン吹出口のルーバに対して物品を取り付けるための車両用物品取付具であって、前記ルーバの前方に対峙して設けられたホルダー本体と、該ホルダー本体内に挿通可能且つ掛止可能に設けられた紐状体と、該紐状体の先端部に形成され、前記ルーバに掛止可能な止め具とから成り、前記ルーバに対して進退可能なベルトと、該ベルトの基端部を収納可能なように形成されたベルト収納部と、前記ホルダー本体に設けられ、前記ルーバの周辺部に対して傾斜姿勢で当接可能な弾性を有する当接具とを備えており、前記止め具を前記ルーバに掛止させて前記ベルトを基端側に引っ張ると、前記当接具が弾性変形し、前記ルーバの周辺部に対して傾斜姿勢で当接し、固定されるように構成されていることを特徴とする。
【００１２】
そして、好ましくは、前記ホルダー本体の前記ルーバに対向する面は凹状に湾曲して形成されていてもよい。
【００１３】
また、前記物品の被係合部と係合して前記物品を固定するための固定レールをさらに備えていてもよく、さらにまた、前記ベルトを複数備えていてもよい。
【発明の効果】
【００１４】
本発明によれば、当接具が弾性変形、或いは、ルーバの周辺部に対する当接具の当接角度が変化し、当接具がルーバの周辺部に対して傾斜姿勢で当接するようになっているため、車両用物品取付具をエアコン吹出口のルーバに容易且つ確実に固定することができる等、種々の優れた効果を得ることができる。
【発明を実施するための最良の形態】
【００１５】
以下、図１〜図３を参照しつつ、本発明の実施の形態に係る車両用物品取付具について説明する。なお、以下の説明では、本発明に係る車両用物品取付具を、車載ＴＶ（テレビジョン）、ナビゲーション機器やビデオ機器、その他車載用電子機器の表示機能を備える装置のホルダー（ここでは、モニターホルダーと称す）に適用した場合を例示して説明する。ここで、図１はそのモニターホルダーを矩形のエアコン吹出口の水平ルーバに取り付けた状態を示す側面図、図２はそのモニターホルダーを示す斜視図、図３はベルトのロック機構を示す斜視図である。
【００１６】
このモニターホルダー１は、矩形のエアコン吹出口２の水平ルーバ３の前方に対峙して設けられるホルダー本体４と、ホルダー本体４に対して前方に傾動可能に設けられたモニター保持部材５と、ホルダー本体４内に挿通可能且つ掛止可能に設けられた２本のベルト６と、ホルダー本体４の後面側上下両端部にそれぞれ対向するように２個一対で設けられた当接具７とを主体に構成されている。
【００１７】
ホルダー本体４は弓状に湾曲した形状を成し、水平ルーバ３に対向する内面８は凹状に湾曲しており、水平ルーバ３の傾斜を変更するためのノブ（図示せず）が水平ルーバ３から前方に突出して設けられた場合でも、そのノブにホルダー本体４が干渉しないようになっている。また、ホルダー本体４の上下両端部はそれぞれ後方に突出し、当接具装着部９が形成されており、各当接具装着部９には、それぞれ上下方向に複数段（図２では３段）の装着溝１０が形成されている。そして、この下側の当接具装着部９の両側には前方に向かって段差部１１が形成され、この段差部１１と段差部１１の外側に突設された側壁１２とによりベルト収納部１３が形成されている。さらに、ホルダー本体４の両側面下部にはそれぞれベルト掛止解除ボタン１４が突設され、また、ホルダー本体４の上面にはモニター保持部材傾動調整摘み１５が設けられている。
【００１８】
モニター保持部材５はＬ字型を成し、ホルダー本体４の前面に沿って形成された背面保持部１６と、背面支持部１６とほぼ直角を成す底面支持部１７とから構成されている。背面支持部１６の前面側には、上下方向に固定レール３７が形成されており、モニター２０の後面側に形成された固定レール挿入溝（図示せず）を固定レール３７に挿入することにより、モニター２０は、モニター保持部材５上において前後左右方向への動きを規制された状態で保持されるようになっている。また、底面支持部１７には、モニター固定ネジ１８が底面支持部１７を貫通して設けられており、底面支持部１７の下側に設けられた円盤状の操作部１９を回転させることによりモニター２０がモニター保持部材５に固定されるようになっている。さらに、モニター保持部材５は、背面支持部１６と底面支持部１７との角部近傍に枢着された傾動軸部２１を支点として、図１に示すようなホルダー本体４に接した姿勢から前方に傾動可能となっており、これにより、モニター２０の前後方向の傾斜角度を調整できるようになっている。
【００１９】
ベルト６は可撓性を有し、水平ルーバ３に対して進退可能に設けられており、ホルダー本体４の内面８の中間部分からホルダー本体４の下端までホルダー本体４内を挿通可能な紐状体２２と、紐状体２２の先端部に形成された止め具２３とから構成されている。紐状体２２には上方に傾斜した鋸歯状の掛止部２４が形成され、掛止部２４の一方の側面（図３における左側面）には傾斜面３８（図３参照）が形成されている。そして、紐状体２２は、ロック機構３９により、通常の状態では基端側（図１の下方）への動きのみが許容され、ベルト掛止解除ボタン１４を押圧した状態でのみ、先端側（図１の右方）への動きが許容されるようになっている。
【００２０】
ロック機構３９には、図３に示すように、ホルダー本体４側の受け部４０に板バネ状部材４１を介してロックピン４２が紐状体２２と直交する方向に設けられており、ロックピン４２の先端側は、既に上述したように、ホルダー本体４の両側面から突出し、ベルト掛止解除ボタン１４として機能するようになっている。また、ロックピン４２の基端側はコイルバネ４３を介してホルダー本体４側に回動自在に支持されており、ロックピン４２はそのコイルバネ４３により先端側に付勢されている。さらに、ロックピン４２には、紐状体２２に沿って下方に延出するロックピン係合突部４４が形成されており、ロックピン係合突部４４の下端には紐状体２２の掛止部２４に掛止可能なロックピン掛止部４５が形成されている。ロックピン掛止部４５は、下方に傾斜した鋸歯状を成しており、その一方の側面（図３における右側面）には前端内向きに傾斜面４５が形成されている。
【００２１】
止め具２３は、水平ルーバ３の前縁部２５から前方に所定距離、離間可能なように形成された基端側湾曲部２６と、基端側湾曲部２６から水平ルーバ３の両面に沿うようにそれぞれ先端側に延出する一対の延出片２７，２８と、水平ルーバ３の後縁部２９に掛止可能なように一方（図１では上側）の延出片２７の先端に形成されたフック部３０と、フック部３０に対して近接離反方向に弾性変形可能なように他方（図１では下側）の延出片２８から片持ち梁状にさらに延出するルーバ案内片３１とから構成されている。このルーバ案内片３１は、フック部３０より先端側に延出して形成されているのが好ましく、これにより、フック部３０とルーバ案内片３１との間から止め具２３内に水平ルーバ３が容易に挿入可能となる。
【００２２】
当接具７は弾性を有する材料製、例えば、合成ゴム製であり、側面視台形の平板状を成しており、一方の傾斜側面３２にはホルダー本体４の装着溝１０に嵌合可能な突起部（図示せず）が形成されており、これにより、各当接具７はホルダー本体４に対して着脱可能となっている。そして、各当接具７は、幅広面側３３がエアコン吹出口２の外枠の内側に当接可能なように内方に傾斜した姿勢でホルダー本体４に装着されるようになっている。また、前記突起部の装着溝１０に対する当接具７の嵌合位置によって、上下の当接具７間の離間距離を変更することができるため、モニターホルダー１は、エアコン吹出口２の形状、寸法に対応して取り付け可能になっている。さらに、各当接具７の幅広面３３は僅かに凹状に湾曲しており、エアコン吹出口２の外枠に対してそれぞれ２箇所で当接可能となっている。これにより、エアコン吹出口２の外枠に局部的な凹凸があったとしても、当接具７はエアコン吹出口２の外枠に安定性良く、確実に当接するため、モニターホルダー１ががたつくことはない。
【００２３】
次に、上記したモニターホルダー１を矩形のエアコン吹出口２の水平ルーバ３に着脱する手順について説明する。
【００２４】
モニターホルダー１をエアコン吹出口２の水平ルーバ３に取り付ける場合、先ず、２本のベルト６をホルダー本体４に挿通し、各ベルト６の先端側をホルダー本体４の内面８から後方に弛ませた状態で、それぞれの止め具２３のフック部３０とルーバ案内片３１との間に水平ルーバ３を誘い込む。水平ルーバ３の前縁部２５によりルーバ案内片３１は下方に弾性変形し、フック部３０とルーバ案内片３１との間に隙間が生じ、水平ルーバ３はその隙間からルーバ案内片３１に案内されながら、止め具２３内に挿入される。水平ルーバ３が止め具２３内に完全に挿入されると、ルーバ案内片３１は元の状態に戻り、フック部３０とルーバ案内片３１との間の隙間は水平ルーバ３の厚みより小さくなるため、止め具２３は水平ルーバ３に仮止めされた状態となる。したがって、これ以降の取り付け作業中に、止め具２３が水平ルーバ３から外れるおそれがなくなるため、モニターホルダー１の取り付け作業を容易に行うことができる。また、この時、ルーバ案内片３１がフック部３０より先端側に延出して形成されているため、フック部３０とルーバ案内片３１との間への水平ルーバ３の挿入作業も容易に行うことができる。
【００２５】
次に、ホルダー本体４を把持しながら、ホルダー本体４の下端から垂下している各ベルト６の基端部をそれぞれ下方に引っ張る。そうすると、紐状体２２の掛止部２４が上方に傾斜した鋸歯状を成していると共にロックピン掛止部４５が下方に傾斜した鋸歯状を成しているため、ロックピン掛止部４５は紐状体２２の掛止部２４を乗り越え、その乗り越え運動に伴い、ロックピン４２は回動する。ロックピン４２の回動は板バネ状部材４１により吸収され、ベルト６の引っ張り動作を停止すると、ロックピン掛止部４５が紐状体２２の掛止部２４に掛止し、紐状体２２はロック機構３９にロックされた状態となる。そして、フック部３０が水平ルーバ３の後縁部２９に掛止し、基端側湾曲部２６と水平ルーバ３の前縁部２５とは所定距離、離間した状態となる。また、上下の当接具７は弾性変形し、エアコン吹出口２の水平ルーバ３の外枠に対して傾斜姿勢で当接し、各当接具７の先端はエアコン吹出口２の内部に入り込む。このように、当接具７が水平ルーバ３の外枠に押されて内方に弾性変形すると共に、この状態では、ベルト６が先端側（図１の右方）への動きを拘束されているため、モニターホルダー１はエアコン吹出口２に対して堅固且つ所定姿勢で固定される。そして、ホルダー本体４の下端から下方に伸びているベルト６を後方に折り返し、ベルト収納部１３に収納させる。一般的に、エアコン吹出口２の下方にはカーステレオが配置されているため、このようにベルト６の下端部をベルト収納部１３に収納させることにより、ベルト６がカーステレオの操作の妨げになることを防止することができる。
【００２６】
その後、モニター保持部材５の固定レール３７にモニター２０の被係合部を係合させてモニター２０を底面支持部１７上に載置させ、操作部１９を回転させることによりモニター固定ネジ１８をモニター２０に螺挿し、モニター保持部材５にモニター２０を固定する。さらに、モニター保持部材傾動調整摘み１５を回転させ、傾動軸部２１を支点としてモニター保持部材５を傾動し、モニター２０を所定姿勢に保持する。この時、固定レール３７によりモニター２０の前後左右方向の動きを規制することができるので、モニター２０をモニター保持部材５上にしっかりと固定することができる。さらに、底板支持部１７の下方からモニター固定ネジ１８をモニター２０に螺挿しているので、モニター２の一層確実な固定が可能となる。
【００２７】
一方、モニターホルダー１をエアコン吹出口２の水平ルーバ３から取り外す場合、上記した手順と反対の手順で、モニター保持部材５からモニター２０を取り外した後、ホルダー本体４のベルト掛止解除ボタン１４を押圧しつつ、ホルダー本体４を前方に引っ張る。ベルト掛止解除ボタン１４を押圧することにより、ロックピン４２が、コイルバネ４３の不勢力に抗して、基端方向に移動し、ロックピン掛止部４５と紐状体２２の掛止部２４との掛止状態が解除されるので、ベルト６は、先端側（図１の右方）への動きを許容され、ホルダー本体４の内面８から先端側へ伸び、弛んだ状態となる。その後、ベルト掛止解除ボタン１４の押圧動作を止めると、コイルバネ４３の不勢力により、ロックピン４２は元の位置に復帰し、ロックピン掛止部４５は紐状体２２の掛止部２４に再度掛止する。この時、紐状体２２の掛止部２４の側面に傾斜面３８が形成されていると共に、ロックピン掛止部４５の側面に傾斜面４５が形成されており、傾斜面３８，４５同士が接触するため、ロックピン４２の復帰動作は円滑に行われる。
【００２８】
そして、このようにベルト６を弛ませた状態において、水平ルーバ３を押さえて、水平ルーバ３の傾動を拘束しながら、止め具２３を水平ルーバ３内に押し込み、基端側湾曲部２６を水平ルーバ３の前縁部２５に当接させ、止め具２３の基端側を下方に動かす。そうすると、止め具２３の先端側が上方に持ち上がり、水平ルーバ３によりルーバ案内片３１が下方に弾性変形する。そして、フック部３０とルーバ案内片３１との間に水平ルーバ３の厚み以上の隙間ができたところで、止め具２３を引っ張ると、水平ルーバ３はルーバ案内片３１に案内されながら、フック部３０とルーバ案内片３１との間の隙間を通って止め具２３から取り外され、モニターホルダー１をエアコン吹出口２から取り外すことができる。
【００２９】
なお、上記実施の形態においては、モニターホルダー１を矩形のエアコン吹出口２に固定する場合について説明したが、例えば、図３に示すように、丸型のエアコン吹出口３４に取り付けることもできる。そして、丸型のエアコン吹出口３４が回転可能に設けられている場合には、当接具７がエアコン吹出口３４の外枠３５の外側周辺部に当接可能なように構成させることもできる。
【００３０】
また、上記したように、ベルト６は可撓性を有しており、さらに、止め具２３をルーバに仮止めした後に、止め具２３に対してねじり方向に力を作用させたとしても、止め具２３がルーバから脱落しないように構成されているため、本発明は、垂直ルーバを有するエアコン吹出口にも支障なく使用することができる。
【００３１】
さらに、本発明は、上記したモニターホルダー１に限定されるものではなく、例えば、図４に示すように、ドリンクホルダー３６や、携帯電話ホルダー等の車両用物品取付具にも適用可能である。
【００３２】
さらにまた、上記実施の形態では、当接具７それ自体が弾性を有しているが、当接具７は必ずしも弾性を有していなくてもよく、例えば、弾性部材を介して当接具７をホルダー本体４に取り付ける等、ルーバ３の周辺部に対する当接具７の当接角度が可変となるように構成させてもよい。そして、このような構成において、モニターホルダー１を取り付ける場合に、止め具２３をルーバ３に掛止させてベルト６を基端側に引っ張ると、ルーバ３の周辺部に対する当接具７の当接角度が変化することにより、当接具７はルーバ３の周辺部に対して傾斜姿勢でがたつくことなく当接し、前記ホルダーは堅固且つ安定性良く固定される。
【００３３】
なお、当接具７の形状、設置数は、上記した形状や設置数に限定されるものではなく、各種変更が可能であり、さらに、エアコン吹出口２のルーバ３の周辺部に対する傾斜方向は外方であってもよい。
【００３４】
さらにまた、ベルト６の取り付け本数は、１本、又は２本のみならず３本以上の複数であってもよい。なお、ベルト６を複数設けた場合には、モニターのような数百グラム程度の重量を有する物品を、回ることなく安定的に保持することができる。
【００３５】
また、例えば、図６に示すように、１本のベルト４７の先端を二股に分岐させ、その各先端部にそれぞれ止め具４８，４９を設けるように構成してもよい。
【図面の簡単な説明】
【００３６】
【図１】本発明の実施の形態に係る車両用物品取付具としてモニターホルダーをエアコン吹出口のルーバに取り付けた状態を示す側面図である。
【図２】本発明の実施の形態に係る車両用物品取付具としてモニターホルダーを示す斜視図である。
【図３】本発明の実施の形態におけるベルトのロック機構を示す斜視図である。
【図４】本発明の実施の形態に係る車両用物品取付具としてモニターホルダーを丸型吹出口に取り付ける時の状態を示す斜視図である。
【図５】本発明の実施の形態に係る車両用物品取付具としてドリンクホルダーを示す斜視図である。
【図６】本発明の実施の形態に係る車両用物品取付具の別の例を示す斜視図である。
【符号の説明】
【００３７】
１          モニターホルダー
２          エアコン吹出口
３          水平ルーバ
４          ホルダー本体
６          ベルト
７          当接具
８          内面
１３        ベルト収納部
２２        紐状体
２３        止め具
２５        前縁部
２６        基端側湾曲部
２７        延出片
２８        延出片
２９        後縁部
３０        フック部
３１        ルーバ案内片
３４        丸型エアコン吹出口
３５        外枠
３６        ドリンクホルダー
【図１】
2005262952.tif 000003
【図２】
2005262952.tif 000004
【図３】
2005262952.tif 000005
【図４】
2005262952.tif 000006
【図５】
2005262952.tif 000007
【図６】
2005262952.tif 000008